【手続補正書】
【提出日】平成29年2月14日(2017.2.14)
【手続補正１】
【補正対象書類名】特許請求の範囲
【補正対象項目名】全文
【補正方法】変更
【補正の内容】
【特許請求の範囲】
【請求項１】
各々が異なる数のダイオード接続されたトランジスタを有する複数の分配器チェーンと、前記複数の分配器チェーンは各々、異なる分圧係数を提供し、各分配器チェーンは、電力供給電圧ノードに結合され、前記分配器チェーンの前記トランジスタは、直列に接続される、
前記複数の分配器チェーンに１対１ベースで対応する複数のセレクタスイッチと、各セレクタスイッチは、各セレクタスイッチの対応する選択信号に応じて、前記対応する分配器チェーンを接地に選択的に結合するように構成される、 
前記複数の分配器チェーンに１対１ベースで対応する複数の抵抗チェーンと、各抵抗チェーンは、前記電力供給ノードに結合され、前記対応する分配器チェーンと同じ分圧係数を有するように、前記対応する分配器チェーンと一致する数のダイオード接続されたトランジスタを含む、 
前記複数の抵抗チェーンに１対１ベースで対応する複数の監視チェーンと、各監視チェーンは、前記電力供給ノードに結合され、前記対応する抵抗チェーンによって伝導された電流を反映するように構成され、各監視チェーンは、ノード電圧を作り出すためのノードを含み、ここにおいて、対応する抵抗チェーンがアクティブであり、その他のチェーンが非アクティブであるとき、前記ノードは低くされる、 
前記分配器チェーンの選択された１つからの分割された供給電圧を所定の電圧範囲内に維持するために、前記監視チェーンのための前記ノード電圧に応じて、各セレクタスイッチの前記選択信号を制御するように構成された制御回路と、
前記複数の抵抗チェーンに１対１ベースで対応する複数の有効化スイッチと、各有効化スイッチは、各有効化スイッチの対応する有効化信号に応じて、前記対応する抵抗チェーンを接地に選択的に結合するように構成され、ここにおいて、前記制御回路はさらに、前記ノード電圧に応じて、前記有効化信号を制御するように構成される、を備え、
ここにおいて、各監視チェーンは、各々が前記対応する抵抗チェーンにおける前記電流を反映するように構成された複数の電流反映トランジスタを含み、各監視チェーンは電流反映トランジスタのペアを含む、
分圧回路。
【請求項２】
供給電圧で供給電圧ノードを駆動することと、前記供給電圧ノードは、各々が異なる数のダイオード接続されたトランジスタを含む複数の分配器チェーンに対応する複数の抵抗チェーンに結合され、ここにおいて、前記分配器チェーンの前記トランジスタは、各分配器チェーンが異なる分圧係数を提供するように、直列に接続され、前記供給電圧ノードはまた、前記複数の抵抗チェーンに１対１ベースで対応する複数の監視チェーンに結合され、各監視チェーンは、前記対応する抵抗チェーンによって伝導される電流を反映するように構成され、前記供給電圧ノードはまた、前記複数の抵抗チェーンに１対１ベースで対応する前記複数の分配器チェーンに結合され、各分配器チェーンは、各々が異なる分圧係数を提供するように、前記対応する抵抗チェーンと一致する数のダイオード接続されたトランジスタを含む、
接地に各抵抗チェーンを結合することと、各抵抗チェーンは、各抵抗チェーンの前記結合に応じて、ノード電圧を作り出すためのノードを含む、 
選択された分配器チェーンから分割された電圧を作り出すために、前記分配器チェーンから選択すべき前記制御チェーンからの前記ノード電圧を処理することと、を備え、
前記対応する抵抗チェーンがアクティブであり、その他のチェーンが非アクティブであるとき、前記ノードは低くされ、
分圧回路は、前記複数の抵抗チェーンに１対１ベースで対応する複数の有効化スイッチを備え、各有効化スイッチは、各有効化スイッチの対応する有効化信号に応じて、接地に前記対応する抵抗チェーンを選択的に結合するように構成され、前記制御回路はさらに、前記ノード電圧に応じて、前記有効化信号を制御するように構成され、各監視チェーンは、各々が前記対応する抵抗チェーンにおける前記電流を反映するように構成された複数の電流反映トランジスタを含み、ここにおいて、各監視チェーンは、電流反映トランジスタのペアを含み、
前記分配器チェーンから選択すべき前記ノード電圧を処理することはさらに、前記複数の抵抗チェーンに対応する複数の有効化信号を処理することを備える、
前記分圧回路を動作させる方法。
【手続補正２】
【補正対象書類名】明細書
【補正対象項目名】００６５
【補正方法】変更
【補正の内容】
【００６５】
[0078]本明細書に記載される発明の様々な特徴は、本発明を逸脱することなしに、異なるシステムで実装され得る。前述の実施形態は、単に例であり、本発明の制限として解釈されるべきではないことに留意されたい。実施形態の説明は、例示的であることを意図されており、本特許請求の範囲を限定することは意図されていない。そのようなものとして、本教示は、他のタイプの装置に容易に適用することができ、多数の代替形態、修正形態、および変更形態が当業者には明らかとなろう。
以下に、本願出願の当初の特許請求の範囲に記載された発明を付記する。
［Ｃ１］
供給電圧を分割し、分割された供給電圧を獲得するために異なる分配器係数を有する複数の分圧器分岐と、
前記複数の分圧器分岐に結合された制御回路とを備え、前記制御回路は、選択された分割された供給電圧を所定の電圧範囲内に維持するために、供給電圧を自動的に監視し、前記複数の分圧器分岐の中から分圧器分岐を動的に選択するようになされる、分圧器回路。
［Ｃ２］
前記制御回路が、前記供給電圧が変化するときに、前記分圧器分岐を動的におよび自動的に選択する、Ｃ１に記載の分圧器回路。
［Ｃ３］
各々の前記分圧器分岐が、異なる分割された供給電圧を提供し、前記選択された分割された供給電圧が、前記選択された分圧器分岐に対応する、Ｃ１に記載の分圧器回路。
［Ｃ４］
前記制御回路が、前記分圧器分岐が選択されるときに、前に選択された分圧器分岐を非活動化するように動作する、Ｃ１に記載の分圧器回路。
［Ｃ５］
前に選択された分圧器分岐を非活動化することが、制御チェーンを有効に保ちながら、前記前に選択された分圧器分岐の対応する分配器チェーンを選択解除することを含む、Ｃ４に記載の分圧器回路。
［Ｃ６］
各分圧器分岐が、
前記制御回路に結合された分配器チェーンと、
前記制御回路に結合された制御チェーンと、ここにおいて、前記制御回路は前記制御チェーンで感知された電圧に基づいて前記分配器チェーンを活動化および非活動化する、
を含む、Ｃ１に記載の分圧器回路。
［Ｃ７］
前記分割された供給電圧が、前記分配器チェーンから獲得される、Ｃ６に記載の分圧器回路。
［Ｃ８］
複数の分圧器分岐が、
第１の分配器係数の第１の制御チェーンおよび第１の分配器チェーンを有する第１の分圧器分岐と、
第２の分配器係数の第２の制御チェーンおよび第２の分配器チェーンを有する第２の分圧器分岐と、ここにおいて、前記第２の分配器係数は前記第１の分配器係数よりも大きい、
第３の分配器係数の第３の制御チェーンおよび第３の分配器を有する第３の分圧器分岐と、ここにおいて、前記第３の分配器係数は前記第２の分配器係数よりも大きい、
を含み、ここにおいて、前記第２の分圧器分岐が前記制御回路によって選択されるとき、前記第１の分配器チェーンおよび第３の分配器チェーンが無効にされ、前記第２の分配器チェーンが有効にされ、一方、前記第１の、第２の、および第３の制御チェーンが有効にされる、Ｃ６に記載の分圧器回路。
［Ｃ９］
前記分配器チェーンが、直列に結合された複数のトランジスタを含み、各分圧器分岐が、異なる数のトランジスタを有する分配器チェーンを有する、Ｃ６に記載の分圧器回路。
［Ｃ１０］
前記分配器チェーン内の各トランジスタのゲートが、そのトランジスタのドレインに結合され、前記分配器チェーン内の第１のトランジスタのドレインが、前記分配器チェーン内の次のトランジスタのソースに結合された、Ｃ９に記載の分圧器回路。
［Ｃ１１］
前記制御チェーンが、直列に結合された複数のトランジスタを含み、各分圧器分岐が、異なる数のトランジスタを有する、Ｃ６に記載の分圧器回路。
［Ｃ１２］
前記制御チェーンが、
各トランジスタのゲートがそのドレインに結合された、直列に結合されたトランジスタの抵抗チェーンと、
直列に結合された２つのトランジスタを有する監視チェーンと
を含み、前記抵抗チェーン内の最初の２つのトランジスタの各トランジスタのゲートが、前記監視チェーン内の対応するトランジスタのゲートに結合された、Ｃ６に記載の分圧器回路。
［Ｃ１３］
トランジスタの前記抵抗チェーンが、前記分配器チェーンと等しい数のトランジスタを直列に有する、Ｃ１２に記載の分圧器回路。
［Ｃ１４］
供給電圧を分割し、分割された供給電圧を獲得するために、異なる分配器係数を有する複数の分圧器分岐から第１の分圧器分岐を選択することと、
前記供給電圧を監視することと、
前記分割された供給電圧を所定の電圧範囲内に維持するために、前記供給電圧が変化するときに、前記複数の分圧器分岐から第２の分圧器分岐を動的に選択することと
を備える、分圧器回路を動作させる方法。
［Ｃ１５］
前記第２の分圧器分岐が選択されるときに、前記第１の分圧器分岐を非活動化すること
をさらに備える、Ｃ１４に記載の方法。
［Ｃ１６］
前記第１の分圧器分岐を非活動化することが、制御チェーンを有効に保ちながら第１の分圧器分岐の対応する分配器チェーンを選択解除することを含む、Ｃ１５に記載の方法。
［Ｃ１７］
前記複数の分圧器分岐の各々が、
分配器チェーンと
前記制御チェーンで感知された電圧に基づいて前記分配器チェーンを活動化または非活動化させる制御チェーンと
を含む、Ｃ１４に記載の方法。
［Ｃ１８］
前記分割された供給電圧が、前記分配器チェーンから獲得される、Ｃ１７に記載の方法。
［Ｃ１９］
複数の分圧器分岐が、
第１の分配器係数の第１の制御チェーンおよび第１の分配器チェーンを有する前記第１の分圧器分岐と、
第２の分配器係数の第２の制御チェーンおよび第２の分配器チェーンを有する前記第２の分圧器分岐と、ここにおいて、前記第２の分配器係数は前記第１の分配器係数よりも大きい、
第３の分配器係数の第３の制御チェーンおよび第３の分配器を有する第３の分圧器分岐と、ここにおいて、前記第３の分配器係数は前記第２の分配器係数よりも大きい、
を含み、ここにおいて、前記第２の分圧器分岐が前記制御回路によって選択されるとき、前記第１の分配器チェーンおよび第３の分配器チェーンが無効にされ、前記第２の分配器チェーンが有効にされ、一方、前記第１の、第２の、および第３の制御チェーンが有効にされる、Ｃ１７に記載の方法。
［Ｃ２０］
前記分配器チェーンが、直列に結合された複数のトランジスタを含み、各分圧器分岐が、異なる数のトランジスタを有する分配器チェーンを有する、Ｃ１７に記載の方法。
［Ｃ２１］
前記分配器チェーン内の各トランジスタのゲートが、そのトランジスタのドレインに結合され、前記分配器チェーン内の第１のトランジスタのドレインが、前記分配器チェーン内の次のトランジスタのソースに結合された、Ｃ２０に記載の方法。
［Ｃ２２］
前記制御チェーンが、直列に結合された複数のトランジスタを含み、各分圧器分岐が、異なる数のトランジスタを有する、Ｃ１７に記載の方法。
［Ｃ２３］
前記制御チェーンが、
抵抗チェーン内の各トランジスタのゲートがそのドレインに結合された、直列に結合されたトランジスタの前記抵抗チェーンと、
直列に結合された２つのトランジスタを有する監視チェーンと、前記抵抗チェーン内の最初の２つのトランジスタの各トランジスタのゲートが、前記監視チェーン内の対応するトランジスタのゲートに結合される、
を含む、Ｃ１７に記載の方法。
［Ｃ２４］
トランジスタの前記抵抗チェーンが、前記抵抗チェーンと等しい数のトランジスタを直列に有する、Ｃ２３に記載の方法。
［Ｃ２５］
供給電圧を分割し、分割された供給電圧を獲得するために、異なる分配器係数を有する複数の分圧器分岐から第１の分圧器分岐を選択するための手段と、
前記分割された供給電圧を監視するための手段と
前記分割された供給電圧を所定の電圧範囲内に維持するために、前記供給電圧が変化するときに前記複数の分圧器分岐から第２の分圧器分岐を動的に選択するための手段と
を備える、分圧器回路。
［Ｃ２６］
前記第２の分圧器分岐が選択されるときに前記第１の分圧器分岐を非活動化するための手段
をさらに備える、Ｃ２５に記載の分圧器回路。
［Ｃ２７］
前記第１の分圧器分岐を非活動化することが、制御チェーンを有効に保ちながら第１の分圧器分岐の対応する分配器チェーンを選択解除することを含む、Ｃ２６に記載の分圧器回路。
［Ｃ２８］
前記分圧器分岐の各々が、異なる分割された供給電圧を提供し、前記選択された分割された供給電圧が、前記選択された分圧器分岐に対応する、Ｃ２５に記載の分圧器回路。